(57)【要約】【課題】信頼性の高い発光装置を提供する。【解決手段】基板１０１と、前記基板に形成された有機ＥＬ素子１１０と、前記基板に対向して配置された対向基板１０２と、前記対向基板に形成され、前記有機ＥＬ素子に対向する複数の凸構造１０２ａと、前記基板と前記対向基板との間に配置された液体または固体などの熱伝導材１３５ａと、を具備し、前記複数の凸構造および前記有機ＥＬ素子それぞれが前記熱伝導材に接触する発光装置である。【選択図】図１
2014116248.tif 000002
【特許請求の範囲】
【請求項１】
基板と、
前記基板に形成された有機ＥＬ素子と、
前記基板に対向して配置された対向基板と、
前記対向基板に形成され、前記有機ＥＬ素子に対向する複数の凸構造と、
前記基板と前記対向基板との間に配置された液体または固体と、
を具備し、
前記複数の凸構造および前記有機ＥＬ素子それぞれが前記液体または前記固体に接触することを特徴とする発光装置。
【請求項２】
請求項１において、
前記複数の凸構造の相互間に形成された凹構造に接触する不活性気体を有することを特徴とする発光装置。
【請求項３】
請求項１または２において、
前記複数の凸構造は、前記対向基板と一体に形成されていることを特徴とする発光装置。
【請求項４】
請求項１または２において、
前記複数の凸構造は、前記対向基板に貼り付けられていることを特徴とする発光装置。
【請求項５】
請求項１乃至４のいずれか一項において、
前記複数の凸構造の密度は、前記対向基板の中央部の方が周辺部より高いことを特徴とする発光装置。
【請求項６】
請求項１乃至５のいずれか一項において、
前記複数の凸構造の相互の間隔は、１００μｍ以上５００μｍ以下であることを特徴とする発光装置。
【請求項７】
請求項１乃至６のいずれか一項において、
前記液体の比重は水の比重より大きいことを特徴とする発光装置。
【請求項８】
請求項１乃至７のいずれか一項において、
前記液体は、第１の比重を有する第１の液体と、前記第１の比重より小さい第２の比重を有する第２の液体を含み、前記第１の液体は前記第２の液体に比べて疎水性であり、前記第２の液体は水を捕獲することを特徴とする発光装置。
【請求項９】
有機ＥＬ素子が形成された基板および複数の凹構造と複数の凸構造を有する対向基板を用意し、
前記有機ＥＬ素子に前記複数の凹構造と前記複数の凸構造が対向し、且つ前記有機ＥＬ素子、前記複数の凹構造および前記複数の凸構造を液体または固体および不活性気体によって覆うように、前記基板と前記対向基板を配置し、
前記基板と前記対向基板に押し圧をかけることにより、前記基板と前記対向基板との間に前記有機ＥＬ素子、前記液体または固体および前記不活性気体を封止することを特徴とする発光装置の作製方法。
【発明の詳細な説明】
【技術分野】
【０００１】
本発明は、発光装置、照明装置、表示装置、半導体装置に関する。特に、有機ＥＬ素子を有する発光装置およびその作製方法に関する。
【背景技術】
【０００２】
一対の電極（例えば上部電極と下部電極）とその間に挟持される発光性の有機化合物を含む層を有する発光素子である有機ＥＬ素子が知られている。その有機化合物を含む層は、その厚さが数１０ｎｍ以上数１００ｎｍ未満と極めて薄く、壊れやすい。
【０００３】
有機ＥＬ素子は、電流を流すことで発光するが、素子を流れる電流によりジュール熱が発生してしまう。その熱が発光性の有機化合物を含む層に損傷を与え、有機ＥＬ素子の信頼性を低下させてしまう場合がある。
【０００４】
また、有機ＥＬ素子を用いた照明は、一般的に直列に接続された複数の有機ＥＬ素子を定電流で駆動する構成を備えるため、有機ＥＬ素子の一にショート箇所があると、照明全体が非発光になってしまう。ショートの原因はゴミや下部電極の凹凸などが考えられる。また、初期状態ではショートが起きていない箇所でも、有機ＥＬ素子を駆動させて電流を光に変換している間にショートしてしまうこともある。そのメカニズムは以下の通りである。
【０００５】
（１）ショートが発生しない程度の小さなゴミや下部電極の凹凸が原因で、有機ＥＬ素子の局所に大きな電流が流れて明るく光る箇所がある。このような箇所を輝点箇所と呼ぶ。
（２）輝点箇所には他の箇所より大きな電流が流れるため、ジュール熱による輝点箇所の発熱は、他の箇所の発熱より大きい。そのため、輝点箇所から発光装置への熱の拡散が不十分だと、輝点箇所の温度は次第に上昇する。
（３）有機ＥＬ素子は温度が高いほど電気抵抗が低くなるため、発熱により輝点箇所の電気抵抗が低くなると、当該輝点箇所にはさらに大きな電流が流れることになる。
【０００６】
輝点箇所の発光性の有機化合物を含む層の温度が、上記の（２）と（３）を繰り返すことで、耐えられない温度まで上昇すると、当該層が破壊され、一対の電極がショートしてしまう。
【０００７】
有機ＥＬ素子を用いた照明において、このような悪循環を絶つための放熱技術は非常に重要である。特に、有機ＥＬ素子が設けられた基板側に光を取り出すボトムエミッション型の照明装置の場合、対向基板が熱を拡散しやすい壁や天井に接する構成となるため、有機ＥＬ素子が発する熱を、対向基板を介して壁や天井に効率よく放熱することが重要になる。
【０００８】
そこで、有機ＥＬ素子が発する熱を効率よく放熱することにより、熱による有機ＥＬ素子の特性の劣化を抑制できる第１〜第３の発光装置が知られている。
【０００９】
第１の発光装置は、有機ＥＬ素子が形成された素子基板と、素子基板に固着され当該素子基板との間において封止空間を形成する対向基板と、この封止空間内に設けられ有機ＥＬ素子の熱を対向基板に伝える熱伝導体とを備え、熱伝導体として不活性液体を用いたものである（特許文献１参照）。
【００１０】
上記の第１の発光装置では、滴下貼り合わせ装置を用いて素子基板と対向基板を張り合わせて熱伝導体を封止する際に、熱伝導体が陰極上に載っているゴミなどを押しつぶしてショートが発生することがある。一般的な滴下貼り合わせ装置では、充填する熱伝導体を均一に広げるために、貼り合わせ時に素子基板と対向基板に圧をかけるからである。
【００１１】
貼り合わせ時に圧がかからないようにする対策として、対向基板側に熱伝導体が入るスペースを設けておき、そのスペースの容量より充填する熱伝導体の量を少なくして封止することが考えられる。これにより、封止時に陰極にかかる圧力をほぼなくすことができる。
【００１２】
しかしながら、上記の対策では、対向基板と熱伝導体との間に広い範囲で熱伝導性の低い気体の領域ができてしまい、対向基板の中央などで熱拡散性が大幅に低下してしまう。これは、熱伝導体が液体の場合、天井などに貼り付けて素子基板を下向きに取り付けた際に発生する。また、熱伝導体が固体の場合でも、対向基板と熱伝導体との間に広い範囲で熱伝導性の低い気体の領域ができるように固化してしまうこともあり得る。また、対向基板を下側にして固化すると、陰極と熱伝導体との間に広い範囲で気体の領域ができてしまう。
【００１３】
第２の発光装置は、封止部材と有機ＥＬ素子との間に熱伝導体として不活性液体を備え、陰極の発光層側とは反対の素子基板の表面側に、表面を平面とするときよりも放熱面積を拡大させる凹凸構造部を設ける構成を有する（特許文献２参照）。
【００１４】
第３の発光装置は、有機ＥＬ素子が発する熱が、有機ＥＬ素子に接して設けられた突起状の放熱部に放熱される構成を有している（特許文献３参照）。しかし、放熱部と有機ＥＬ素子の間または放熱部と封止基板の間に熱伝導性の低い材料（例えば空気などの基体）があると、有機ＥＬ素子が発する熱は、効率よく放熱されない。そこで、放熱部を有機ＥＬ素子に接するように設け、当該放熱部を封止基板に押し当てて、密着させる構成が知られている（特許文献３参照）。
【００１５】
しかし、異物が意図せず突起状の放熱部と有機ＥＬ素子との間または当該放熱部と封止基板との間に混入すると、放熱部を有機ＥＬ素子に押し当てる圧力が、有機ＥＬ素子の異物と重なる部位に集中してしまう。その結果、一対の電極が当該圧力により接触してショートしてしまう場合がある。または、発光性の有機化合物を含む層の厚さが局所的に薄くなり、大きな電流がその部位に流れて異常に発熱する場合がある。発光性の有機化合物を含む層が局所的に発熱すると、その熱により壊れてしまい、一対の電極がショートすることがある。有機ＥＬ素子の一対の電極がショートすると、そこに電流が集中して有機ＥＬ素子が破壊されてしまう。さらには火災などの原因ともなりうる。
【００１６】
前述した突起状の放熱部と有機ＥＬ素子との間に流動性を有する熱伝導体を充填し、当該熱伝導体が異物の形状に沿って変形することにより、圧力の集中を防止することも考えられる。
【００１７】
しかし、熱伝導体が流動性を有する場合、熱伝導体を充填する際に混入した気泡は自由に移動できる。その結果、気泡が放熱部と有機ＥＬ素子との間に入り込み、有機ＥＬ素子から放熱部への熱の伝導を阻害してしまう場合がある。
【００１８】
なお、有機ＥＬ素子を含む発光装置の作製工程において、異物が混入しないように配慮することは当然であるが、異物の混入を皆無にすることは難しい。また、流動性を有する熱伝導体を気泡の混入を防ぎ、且つ溢れることなく充填することは難しい。
【先行技術文献】
【特許文献】
【００１９】
【特許文献１】特開２００６−１７９２１８号公報
【特許文献２】特開２０１１−２０４６４５号公報
【特許文献３】特開２００３−２２８９１号公報
【発明の概要】
【発明が解決しようとする課題】
【００２０】
本発明の一態様は、信頼性の高い発光装置を提供することを課題の一とする。また、本発明の一態様は、生産性の高い発光装置を提供することを課題の一とする。また、本発明の一態様は、生産時における異物の混入による歩留まりの低下が発生し難い発光装置の作製方法を提供することを課題の一とする。
【課題を解決するための手段】
【００２１】
本発明の一態様は、基板と放熱材の間に封止された有機ＥＬ素子、流動性を有する熱伝導体および不活性な気体に着目して創作されたものである。
【００２２】
本発明の一態様は、基板と、前記基板に形成された有機ＥＬ素子と、前記基板に対向して配置された対向基板と、前記対向基板に形成され、前記有機ＥＬ素子に対向する複数の凸構造と、前記基板と前記対向基板との間に配置された液体または固体と、を具備し、前記複数の凸構造および前記有機ＥＬ素子それぞれが前記液体または前記固体に接触することを特徴とする発光装置である。
【００２３】
また、上記の本発明の一態様において、前記複数の凸構造の相互間に形成された凹構造に接触する不活性気体を有するとよい。
【００２４】
また、上記の本発明の一態様において、前記複数の凸構造は、前記対向基板と一体に形成されているとよい。
【００２５】
また、上記の本発明の一態様において、前記複数の凸構造は、前記対向基板に貼り付けられていてもよい。
【００２６】
また、上記の本発明の一態様において、前記複数の凸構造の密度は、前記対向基板の中央部の方が周辺部より高いとよい。
【００２７】
また、上記の本発明の一態様において、前記複数の凸構造の相互の間隔は、１００μｍ以上５００μｍ以下であるとよい。
【００２８】
また、上記の本発明の一態様において、前記液体の比重は水の比重より大きいとよい。
【００２９】
また、上記の本発明の一態様において、前記液体は、第１の比重を有する第１の液体と、前記第１の比重より小さい第２の比重を有する第２の液体を含み、前記第１の液体は前記第２の液体に比べて疎水性であり、前記第２の液体は水を捕獲するとよい。
【００３０】
本発明の一態様は、有機ＥＬ素子が形成された基板および複数の凹構造と複数の凸構造を有する対向基板を用意し、前記有機ＥＬ素子に前記複数の凹構造と前記複数の凸構造が対向し、且つ前記有機ＥＬ素子、前記複数の凹構造および前記複数の凸構造を液体または固体および不活性気体によって覆うように、前記基板と前記対向基板を配置し、前記基板と前記対向基板に押し圧をかけることにより、前記基板と前記対向基板との間に前記有機ＥＬ素子、前記液体または固体および前記不活性気体を封止することを特徴とする発光装置の作製方法である。
【発明の効果】
【００３１】
本発明の一態様を適用することで、信頼性の高い発光装置を提供することができる。また、本発明の一態様を適用することで、生産性の高い発光装置を提供することができる。また、本発明の一態様を適用することで、生産時における異物の混入による歩留まりの低下が発生し難い発光装置の作製方法を提供することができる。
【図面の簡単な説明】
【００３２】
【図１】（Ａ）は本発明の一態様に係る発光装置１００Ａを示す平面図、（Ｂ）は（Ａ）に示すＭ１−Ｍ２線およびＭ３−Ｍ４線に沿った断面図。
【図２】（Ａ）は本発明の一態様に係る発光装置１００Ｂを示す平面図、（Ｂ）は（Ａ）に示すＭ１−Ｍ２線およびＭ３−Ｍ４線に沿った断面図。
【図３】（Ａ）は本発明の一態様に係る発光装置１００Ｃを示す平面図、（Ｂ）は（Ａ）に示すＭ１−Ｍ２線およびＭ３−Ｍ４線に沿った断面図。
【図４】（Ａ）は本発明の一態様に係る発光装置１００Ｄを示す平面図、（Ｂ）は（Ａ）に示すＭ１−Ｍ２線およびＭ３−Ｍ４線に沿った断面図。
【図５】本発明の一態様に係る発光装置の対向基板の下面に形成された複数の凸構造、複数の凹構造および複数の凹構造連結路を示す平面図。
【発明を実施するための形態】
【００３３】
以下では、本発明の実施の形態について図面を用いて詳細に説明する。ただし、本発明は以下の説明に限定されず、本発明の趣旨およびその範囲から逸脱することなくその形態および詳細を様々に変更し得ることは、当業者であれば容易に理解される。従って、本発明は以下に示す実施の形態の記載内容に限定して解釈されるものではない。
【００３４】
［実施の形態１］
図１（Ａ）は、本発明の一態様に係る発光装置１００Ａを示す平面図であり、図１（Ｂ）は、図１（Ａ）に示すＭ１−Ｍ２線およびＭ３−Ｍ４線に沿った断面図である。
本実施の形態で例示する発光装置１００Ａは、発光素子が発する光を、当該発光素子が形成される基板側に取り出す下面射出型（ボトムエミッション型ともいう）である。
【００３５】
発光装置１００Ａは、基板１０１と対向基板１０２との間に、発光素子である有機ＥＬ素子１１０、熱伝導材１３５ａおよび不活性気体１３５ｂを封止した構成を有している。有機ＥＬ素子１１０は、第１の電極１１１ａ、発光性の有機化合物を含む層１１３および第２の電極１１２を有している。熱伝導材１３５ａは、液体であってもよいし、固体であってもよいし、固体と液体が混合した流動性を有する流動体であってもよい。
【００３６】
基板１０１上には第１の端子１０３および第２の端子１０４が形成されている。第１の端子１０３は、基板１０１上に形成された第１の電極１１１ａに電気的に接続されている。第１の電極１１１ａは隔壁１１４によって第２の端子１０４と電気的に分離されている。
【００３７】
第１の電極１１１ａ上には発光性の有機化合物を含む層１１３および補助配線１１１ｂが形成されており、発光性の有機化合物を含む層１１３は隔壁１１４によって補助配線１１１ｂと電気的に分離されている。隔壁１１４及び補助配線１１１ｂは、平面形状が六角形の外周に沿うように配置されている（図１（Ａ）参照）。発光性の有機化合物を含む層１１３上には第２の電極１１２が形成されており、第２の電極１１２は第２の端子１０４に電気的に接続されている。
【００３８】
このように基板１０１上には有機ＥＬ素子１１０が形成されており、有機ＥＬ素子１１０上には対向基板１０２が配置されている。対向基板１０２の下面には複数の凹構造１０２ｂおよび複数の凸構造１０２ａが形成されており、複数の凹構造１０２ｂおよび複数の凸構造１０２ａは対向基板１０２と一体に形成されている。複数の凹構造１０２ｂは、対向基板１０２の下面に設けられた互いに平行な複数の溝によって形成されている（図１（Ａ）参照）。複数の凸構造１０２ａは、複数の凹構造１０２ｂの相互間に形成され、凹構造１０２ｂが形成されることによって形成される。
【００３９】
基板１０１と対向基板１０２との間は、有機ＥＬ素子１１０の周囲を囲むシール材１３１によって有機ＥＬ素子１１０、熱伝導材１３５ａおよび不活性気体１３５ｂが封止されている。熱伝導材１３５ａは、対向基板１０２の凸構造１０２ａおよび有機ＥＬ素子１１０の第２の電極１１２それぞれに接触している。不活性気体１３５ｂは、対向基板１０２の凹構造１０２ｂに接触している。
【００４０】
本実施の形態によれば、熱伝導材１３５ａを、対向基板１０２の凸構造１０２ａおよび有機ＥＬ素子１１０の第２の電極１１２それぞれに接触させることにより、対向基板１０２と熱伝導材１３５ａの接触面積が大きくなって有機ＥＬ素子１１０が発する熱を熱伝導材１３５ａおよび凸構造１０２ａを通して対向基板１０２に効率よく放熱することができる。その結果、熱による有機ＥＬ素子の特性の劣化を抑制することができるので、発光装置１００Ａの信頼性を高くすることができる。
【００４１】
なお、図示しないが、複数の凹構造を連結する複数の凹構造連結路が設けられていてもよい。この凹構造連結路により、特定の凹構造に不活性気体のみが充填され、特定の箇所が蓄熱し、熱の伝導を阻害することを防ぐことができる。これによって、全体の凹構造に均一に熱伝導材が満たされ、均一に放熱することが可能となる。
【００４２】
本実施の形態では、複数の凸構造１０２ａおよび複数の凹構造１０２ｂの密度が対向基板１０２の下面においてほぼ均等になるようにしている。
【００４３】
複数の凸構造１０２ａの相互の間隔は、１００μｍ以上５００μｍ以下であることが好ましい。また、複数の凹構造１０２ｂの相互の間隔は、１００μｍ以上５００μｍ以下であることが好ましい。このように１００μｍ以上とすることで、不活性気体１３５ｂを凹構造１０２ｂ内に集めやすくすることができる。また、５００μｍ以下とすることで、凸構造１０２ａからの熱拡散を高めることができる。
【００４４】
次に、上記の発光装置１００Ａの作製方法について説明する。
図１（Ａ），（Ｂ）に示す有機ＥＬ素子１１０が形成された基板１０１、並びにシール材１３１、複数の凸構造１０２ａおよび複数の凹構造１０２ｂを有する対向基板１０２を用意する。なお、シール材１３１は、基板１０１に重ねた状態で有機ＥＬ素子１１０を囲むように、対向基板１０２に設けられる。ここでは基板１０１をフェイスダウンの状態で、フェイスアップの状態で置かれた対向基板１０２の上側に配置して発光装置１００Ａを作製する場合を例に説明するが、この位置関係に限られない。
【００４５】
はじめに、対向基板１０２のシール材１３１の内側に熱伝導材１３５ａを滴下し、次いで、基板１０１の有機ＥＬ素子１１０が設けられた面と対向基板１０２の複数の凸構造１０２ａおよび複数の凹構造１０２ｂが設けられた面を、向かい合わせて配置する。そして、基板１０１を対向基板１０２に押し当てることにより、シール材１３１で囲まれた基板１０１と対向基板１０２との間に有機ＥＬ素子１１０、熱伝導材１３５ａおよび不活性気体１３５ｂを封止する。
【００４６】
この際、滴下した熱伝導材１３５ａの体積が、基板１０１、対向基板１０２およびシール材１３１で囲まれた領域の容積より大きいと、基板１０１を対向基板１０２に押し当てることにより、圧力が熱伝導材から有機ＥＬ素子に加わる。ここで、ゴミが有機ＥＬ素子の作製工程中に混入していると、この圧力により当該ゴミが有機ＥＬ素子に押し込まれ、一対の電極がショートしてしまうことがある。
【００４７】
そこで、滴下する熱伝導材１３５ａの体積を、基板１０１、対向基板１０２およびシール材１３１で囲まれた領域の容積より小さくし、当該熱伝導材１３５ａを不活性気体雰囲気中で封止する。熱伝導材１３５ａを不活性気体１３５ｂと共に封止する構成により、不活性の気体が押し当てに伴う圧力を緩和して、当該圧力により作製工程中に混入したゴミが有機ＥＬ素子に押し込まれる不具合を防止できる。
このようにして発光装置１００Ａが作製される。
【００４８】
上記の作製方法によれば、基板１０１に対向基板１０２を対向させて配置した後に、基板１０１と対向基板１０２に押し圧をかけた際に、基板１０１と対向基板との間に存在する不活性気体１３５ｂによって圧力が緩和され、第２の電極１１２への圧力が低減される。これにより、たとえ有機ＥＬ素子１１０上またはその近傍に異物が混入しても、第２の電極１１２と第１の電極１１１ａ間がショートするのを抑制でき、また発光性の有機化合物を含む層に損傷を与えることを抑制できる。つまり、発光性の有機化合物を含む層に損傷を与えないようにすることで、有機ＥＬ素子１１０を駆動させて電流を光に変換している間にショートが起こるのを抑制できる。したがって、生産時における異物の混入による歩留まりの低下が発生し難い発光装置の作製方法を実現できる。よって、生産性を高めることができる。
【００４９】
また、基板１０１と対向基板との間に熱伝導材１３５ａに比べて熱伝導性の低い不活性気体１３５ｂが存在していても、その不活性気体１３５ｂを対向基板１０２の凹構造１０２ｂに位置させることにより、対向基板１０２の放熱効率の低下を抑制できる。したがって、発光装置１００Ａの信頼性を高くすることができる。
【００５０】
以下に、発光装置１００Ａの各構成要素について説明する。
【００５１】
基板１０１としては、基板側から光を取り出すため、可視光を透過する基板を用いることができる。基板材料としては、ガラス、プラスチック等から適宜選択して用いることができ、可撓性の材料を用いることもできる。
【００５２】
対向基板１０２は、例えば下面に凹凸を設けたザグリガラス、樹脂、プレス加工等により凹凸が設けられた熱伝導性の高い金属板を用いてもよい。熱伝導性の高い金属板を対向基板１０２に用いると、有機ＥＬ素子１１０が発する熱を対向基板１０２に接する天井などに効率よく放熱できる。また、加工性の高い樹脂、プラスチック材料を用いることも可能である。樹脂を対向基板１０２に用いる場合は、透湿性を低下させる材料と積層して用いる。透湿性を低下させる材料としては、例えばガラス板や、無機材料の膜（例えば、酸化珪素、窒化珪素の他金属薄膜等）を挙げることができる。
【００５３】
熱伝導材１３５ａは、有機ＥＬ素子１１０を覆うものであるため、液体、固体、流動体のいずれにおいても水分を含まない材料であることが好ましく、疎水性のものが適している。また、液体の熱伝導材１３５ａを用いる場合は、水より比重が大きいものが好ましい。これにより、有機ＥＬ素子１１０を図１（Ｂ）に示すように下側に配置した場合に、熱伝導材１３５ａに進入してきた水を有機ＥＬ素子１１０側から遠ざけることが可能になる。
【００５４】
また、液体の熱伝導材１３５ａを用いる場合、比重が異なり、混ざらない２種類の液体を混合したものを使用してもよい。その場合、疎水性で比重が大きい第１の液体と、第１の液体より比重が軽くて水を捕獲する第２の液体の組み合わせが適している。即ち、第１の比重を有する第１の液体と、その第１の比重より小さい第２の比重を有する第２の液体を含む熱伝導体であって、第１の液体は第２の液体に比べて疎水性であり、第２の液体は水を捕獲するものである。また、第２の液体中に乾燥剤を添加または分散して積極的に水分を捕獲してもよい。乾燥剤としては、ゼオライトの様な多孔質の材料や、化学反応より水分を吸着する酸化カルシウムや酸化バリウムが使用できる。
【００５５】
また、固化する熱伝導材１３５ａを含む発光装置１００Ａを天井等に貼り付けて使用する場合、図１（Ｂ）に示すように固化させればよく、また液体の熱伝導材１３５ａを用いる場合も重力によって図１（Ｂ）に示す状態になる。また、発光装置を立てかける場合に熱伝導材１３５ａが固化するものを用いる場合は、図１（Ｂ）に示すように固化させればよい。
【００５６】
具体的な熱伝導材１３５ａは、熱溶融性の材料または熱または光で固化する材料を熱伝導材として用いることができる。固化する際に、収縮率が大きいとパネルにゆがみが発生する可能性があるため、収縮率（固化前後の寸法の変化）は、ほぼ１の材料がのぞましい。また、固化する際に脱ガスを起こさない材料が望ましい。具体的には、蝋、エポキシ系樹脂やアクリル系樹脂などを用いることができる。また、発光素子に損傷を与えない液体を熱伝導材として用いることができる。具体的には、シリコンオイル、フッ素系不活性液体などを用いることができる。
【００５７】
不活性気体１３５ｂは、ヘリウム、ネオン、アルゴン等の周期表１８族に属する元素を有するガスを用いてもよいし、より安価な窒素を用いてもよい。封止内の水分量を極力減らすためにも、不活性気体の露点は−７０℃以下が好ましく、更には−８０℃以下が好ましい。なお、酸素濃度は１ｐｐｍ以下が望ましい。
【００５８】
不活性気体の量の最小値は、少なくとも一つの凹構造１０２ｂに不活性気体が満たされる量が望ましい。少なくとも一つの凹構造１０２ｂに不活性気体が満たされることで、封止の際、押し当てに伴う圧力を全体に緩和することができる。
【００５９】
不活性気体１３５ｂの量の最大値は、凹構造１０２ｂの容積を超えない量が望ましい。不活性気体１３５ｂが凹構造１０２ｂの容積を超える量まで含むと、封止の際の不活性気体１３５ｂの圧縮が大きくなり、貼り合わせに要する圧力が高くなる。なお、不活性気体１３５ｂの体積は圧力により変化するため、基板のたわみを抑制しながら均一な力で貼り合わせることが困難になる。これにより、例えば、基板１０１または対向基板１０２が内側に向かってたわむ場合がある。その結果、対向基板１０２が有機ＥＬ素子１１０と接触し、第２の電極１１２と第１の電極１１１ａ間がショートしてしまう場合や、発光性の有機化合物を含む層に損傷を与えてしまう場合がある。また、不活性気体１３５ｂを、凹構造１０２ｂを超えない量とすることで、熱伝導材１３５ａが確実に凸構造１０２ａと接触し、有機ＥＬ素子１１０から発する熱を放熱することができる。
【００６０】
有機ＥＬ素子１１０は次のように発光する。第１の電極（例えば陽極）１１１ａと第２の電極（例えば陰極）１１２の間に、有機ＥＬ素子１１０のしきい値電圧より高い電圧を印加すると、発光性の有機化合物を含む層１１３に陽極の側から正孔注入層および正孔輸送層を介して正孔が注入され、陰極の側から電子注入層および電子輸送層を介して電子が注入され、注入された正孔と電子は発光性の有機化合物を含む層１１３において再結合し、発光性の有機化合物を含む層１１３に含まれる発光性の有機化合物が発光する。
【００６１】
なお、正孔輸送層を設けず、正孔注入層が正孔輸送層を兼ねる構成としてもよい。また電子輸送層を設けず、電子注入層が電子輸送層を兼ねる構成としてもよい。
【００６２】
第１の電極１１１ａは、発光性の有機化合物が発する光を取り出すために、透光性を有する導電膜を用いて形成する。具体的には、インジウム−錫酸化物（ＩＴＯ）や、インジウム−亜鉛酸化物を含む導電膜を用いることができる。また、透光性を有する程度に薄い金属膜を用いることができる。具体的には、５ｎｍ以上３０ｎｍ未満の厚さを有する銀または銀を含む合金の膜などを用いることができる。
【００６３】
第２の電極１１２は、反射性の金属膜を用いて形成する。特に、反射率の高い金属は、光の減衰が少ないため好ましい。具体的には、銀やアルミニウムまたは、それらを含む合金が好ましい。
【００６４】
第１の端子１０３は、導電性の材料を用いて形成する。例えば、図１、図２および図３に図示するように、第１の電極と同じ材料を用いて第１の端子を形成してもよい。特に、第１の電極より導電性が高い材料を用いて形成する方が好ましい。例えば、補助配線の材料を用いて構成してもよい。具体的には、銀やアルミニウムや銅などを用いることができる。
【００６５】
第２の端子１０４は、導電性の材料を用いて形成する。例えば、図１、図２および図３に図示するように、第１の電極と同じ材料を用いて第２の端子を形成してもよい。特に、第１の電極より導電性が高い材料を用いて形成する方が好ましい。例えば、補助配線の材料を用いて構成してもよい。具体的には、銀やアルミニウムや銅などを用いることができる。
【００６６】
隔壁１１４は、絶縁性を有する材料を用いることができる。例えばポリイミド樹脂、アクリル樹脂等を用いることができ、作製方法は、スクリーン印刷法、スリットコート法等を用いることができる。また、酸化珪素（ＳｉＯｘ）等の無機絶縁材料を用いることができる。
【００６７】
補助配線１１１ｂは、第１の電極より導電性が高い材料を用いる。具体的には、銀やアルミニウムや銅などが好適である。
【００６８】
シール材１３１は、透湿率が発光素子を囲む方向についての長さ０．１ｍｍあたり１００ｇ／ｍ２／２４ｈｒより低い材料が望ましい。例えば、低融点ガラスを含むフリットペーストや、硬化性の樹脂（具体的にはエポキシ系樹脂やアクリル系樹脂）を用いることができる。なお、低融点ガラスを含むフリットペーストをシール材１３１に用いる場合は、局所的な加熱装置（例えば、エネルギー線を発する装置、具体的には半導体レーザ等）を用いて低融点ガラスを溶融し、溶融した低融点ガラスを用いて基板と対向基板を融着する。また、硬化性の樹脂としては、熱硬化型または光硬化型の樹脂をその例に挙げることができる。光硬化型の樹脂は短時間で硬化する点または硬化に際し発光素子を高い温度に曝す必要がない点が好ましい。具体的には、ＵＶ硬化樹脂が望ましい。
【００６９】
［実施の形態２］
図２（Ａ）は、本発明の一態様に係る発光装置１００Ｂを示す平面図であり、図２（Ｂ）は、図２（Ａ）に示すＭ１−Ｍ２線およびＭ３−Ｍ４線に沿った断面図である。
図２（Ａ），（Ｂ）において、図１（Ａ），（Ｂ）と同一部分には同一符号を付し、同一部分の説明は省略する。
【００７０】
対向基板１０２の下面にはシート状部材１４０が貼り付けられており、このシート状部材１４０には複数の凹構造１０２ｂおよび複数の凸構造１０２ａが形成されている。複数の凹構造１０２ｂは、シート状部材１４０に平面形状が四角形の貫通孔を設けることで形成されている（図２（Ａ）参照）。複数の凸構造１０２ａは、複数の凹構造１０２ｂの相互間に形成され、凹構造１０２ｂが形成されることによって形成される。なお、シール材１３１は、基板１０１に重ねた状態で有機ＥＬ素子１１０を囲むように、対向基板１０２に設けられ、シール材１３１の対向基板１０２からの高さは、複数の凸構造１０２ａよりも高い。また、対向基板１０２及びシート状部材１４０は熱伝導率が高いものが好ましい。
【００７１】
シート状部材１４０は、金属や樹脂材料を用いることができる。金属は熱伝導性が高いため、放熱性に優れた発光装置を構成できる。また、樹脂材料は加工性に優れるため好ましい。
【００７２】
本実施の形態においても実施の形態１と同様の効果を得ることができる。
【００７３】
［実施の形態３］
図３（Ａ）は、本発明の一態様に係る発光装置１００Ｃを示す平面図であり、図３（Ｂ）は、図３（Ａ）に示すＭ１−Ｍ２線およびＭ３−Ｍ４線に沿った断面図である。
図３（Ａ），（Ｂ）において、図１（Ａ），（Ｂ）と同一部分には同一符号を付し、同一部分の説明は省略する。
【００７４】
対向基板１０２の下面には複数の凹構造１０２ｂおよび複数の凸構造１０２ａが形成されており、複数の凹構造１０２ｂは、対向基板１０２の下面に設けられた平面形状が三角形の複数の穴によって形成されている（図３（Ａ）参照）。
【００７５】
本実施の形態においても実施の形態１と同様の効果を得ることができる。
【００７６】
［実施の形態４］
図４（Ａ）は、本発明の一態様に係る発光装置１００Ｄを示す平面図であり、図４（Ｂ）は、図４（Ａ）に示すＭ１−Ｍ２線およびＭ３−Ｍ４線に沿った断面図である。
図４（Ａ），（Ｂ）において、図１（Ａ），（Ｂ）と同一部分には同一符号を付し、同一部分の説明は省略する。
【００７７】
対向基板１０２の下面には複数の凹構造１０２ｂおよび複数の凸構造１０２ａが形成されており、複数の凸構造１０２ａは、対向基板１０２の下面に設けられた複数の円柱状の構造によって形成されている（図４（Ａ）参照）。
【００７８】
複数の凸構造１０２ａの密度を、対向基板１０２の下面の周辺部より中央部の方が高くなるようにする。これにより、中央部の方が、対向基板１０２と熱伝導材１３５ａの接触面積が大きくなって熱が溜まりやすい中央部をより効率よく放熱することができる。
【００７９】
本実施の形態においても実施の形態１と同様の効果を得ることができる。
【００８０】
［実施の形態５］
図５は、本発明の一態様に係る発光装置の対向基板１０２の下面に形成された複数の凸構造１０２ａ、複数の凹構造１０２ｂおよび複数の凹構造連結路１０２ｃを示す平面図である。
【００８１】
複数の凹構造１０２ｂは、対向基板１０２の下面に設けられた平面形状が略円形状の複数の凹通路によって形成されている。複数の凹構造連結路１０２ｃは、複数の凹構造１０２ｂを連結するように設けられている。
【００８２】
なお、本実施形態に係る発光装置における複数の凸構造１０２ａ、複数の凹構造１０２ｂおよび複数の凹構造連結路１０２ｃ以外については、実施の形態４の発光装置と同様である。
【００８３】
本実施の形態においても実施の形態１と同様の効果を得ることができる。
【００８４】
また、複数の凹構造連結路１０２ｃにより複数の凹構造１０２ｂに充填される不活性気体の量を平均化することができる。このため、特定の凹構造１０２ｂに不活性気体のみが充填され、特定の箇所が蓄熱し、熱の伝導を阻害することを防ぐことができる。これによって、全体の凹構造１０２ｂに均一に熱伝導材が満たされ、均一に放熱することが可能となる。
【符号の説明】
【００８５】
１００Ａ，１００Ｂ，１００Ｃ    発光装置
１０１    基板
１０２    対向基板
１０２ａ    凸構造
１０２ｂ    凹構造
１０２ｃ    凹構造連結路
１０３    第１の端子
１０４    第２の端子
１１０    有機ＥＬ素子
１１１ａ    第１の電極
１１１ｂ    補助配線
１１２    第２の電極
１１３    発光性の有機化合物を含む層
１１４    隔壁
１３１    シール材
１３５ａ    熱伝導材
１３５ｂ    不活性気体
１４０    シート状部材
【図１】
2014116248.tif 000003
【図２】
2014116248.tif 000004
【図３】
2014116248.tif 000005
【図４】
2014116248.tif 000006
【図５】
2014116248.tif 000007